(57)【要約】【課題】機能性及び意匠性の両方を向上させることが可能な開閉扉体を提供すること。【解決手段】開閉扉体１は、外部空間４と内部空間５との相互間に位置する開口領域２において開閉自在に配置される本体部２０と、前記外部空間４における前記本体部２０に対して対向する位置に配置された第一外装パネル４０と、を備え、前記第一外装パネル４０における前記内部空間５から前記外部空間４へと至る内外方向と直交する方向の側端部と、前記本体部２０との相互間に、第一空間Ｅ１を形成した。【選択図】図１
2015105530.tif 000002
【特許請求の範囲】
【請求項１】
内部空間と外部空間との相互間に位置する開口領域において開閉自在に配置される本体部と、
前記外部空間における前記本体部に対して対向する位置に配置された第一外装パネルと、を備え、
前記第一外装パネルにおける前記内部空間から前記外部空間へと至る内外方向と直交する方向の側端部と、前記本体部との相互間に、第一空間を形成した、
開閉扉体。
【請求項２】
前記第一外装パネルを、当該第一外装パネルの一部が前記本体部に当接するように、前記本体部に対して接続した、
請求項１に記載の開閉扉体。
【請求項３】
前記第一外装パネルを、前記内外方向と直交する方向の中央部において前記本体部と当接し、かつ、前記内外方向と直交する方向の側端部において前記本体部と当接しないように、前記本体部に対して接続することにより、前記側端部と前記本体部との相互間に前記第一空間を形成した、
請求項２に記載の開閉扉体。
【請求項４】
前記外部空間と前記内部空間との相互間に光を透過させるための採光窓と、
前記外部空間における前記採光窓に対して対向する位置に配置された第二外装パネルと、を備え、
前記本体部を、前記採光窓を囲繞するように配置し、
前記第二外装パネルにおける前記内外方向と直交する方向の側端部と、前記採光窓との相互間に、第二空間を形成した、
請求項１から３のいずれか一項に記載の開閉扉体。
【請求項５】
前記第二外装パネルを、当該第二外装パネルが前記採光窓に当接しないように、前記本体部に対して接続した、
請求項４に記載の開閉扉体。
【請求項６】
前記内外方向と直交する方向において、前記第二外装パネルの長さを前記採光窓の長さよりも短くし、
前記第一外装パネルと前記第二外装パネルとの相互間に、前記外部空間から前記採光窓へと光を通過させるための採光空間を形成した、
請求項４又は５に記載の開閉扉体。
【請求項７】
前記第一外装パネルの外装面と前記第二外装パネルの外装面とを、相互に面一に配置した、
請求項４から６のいずれか一項に記載の開閉扉体。
【請求項８】
平面視において前記本体部の長手方向と直交する方向における、前記第一外装パネルの外装面から前記第一空間に至る距離と、前記第二外装パネルの外装面から前記第二空間に至る距離とを、相互に同一とした、
請求項４から７のいずれか一項に記載の開閉扉体。
【発明の詳細な説明】
【技術分野】
【０００１】
本発明は、開閉扉体に関する。
【背景技術】
【０００２】
従来、玄関等に設置される扉体に装飾体を取り付けることで、扉体の意匠性を向上させると共に、扉体に重厚感や高級感を持たせることが提案されている。例えば、特許文献１には、扉本体の外面に対して、３つの装飾体を扉本体の幅方向に間隔を隔てて並行状に形成する点が開示されている。
【先行技術文献】
【特許文献】
【０００３】
【特許文献１】特開２００９−２８７２５３号公報
【発明の概要】
【発明が解決しようとする課題】
【０００４】
ここで、上記特許文献１に記載の扉体において、扉体の意匠性や重厚感をより一層を向上させるためには、装飾体の肉厚をより大きくすることも考えらえるが、この場合には扉体の重量が増大してしまうため好ましくない。そこで、装飾体の肉厚を大きくすることなく、意匠性や重厚感を向上させることが可能となる扉体が要望されていた。
【０００５】
本発明は、上記従来技術における課題を解決するためのものであって、装飾体の肉厚を大きくすることなく、意匠性や重厚感を向上させることが可能となる開閉扉体を提供することを目的とする。
【課題を解決するための手段】
【０００６】
上述した課題を解決し、目的を達成するために、請求項１に記載の開閉扉体は、内部空間と外部空間との相互間に位置する開口領域において開閉自在に配置される本体部と、前記外部空間における前記本体部に対して対向する位置に配置された第一外装パネルと、を備え、前記第一外装パネルにおける前記内部空間から前記外部空間へと至る内外方向と直交する方向の側端部と、前記本体部との相互間に、第一空間を形成した。
【０００７】
また、請求項２に記載の開閉扉体は、請求項１に記載の開閉扉体において、前記第一外装パネルを、当該第一外装パネルの一部が前記本体部に当接するように、前記本体部に対して接続した。
【０００８】
また、請求項３に記載の開閉扉体は、請求項２に記載の開閉扉体において、前記第一外装パネルを、前記内外方向と直交する方向の中央部において前記本体部と当接し、かつ、前記内外方向と直交する方向の側端部において前記本体部と当接しないように、前記本体部に対して接続することにより、前記側端部と前記本体部との相互間に前記第一空間を形成した。
【０００９】
また、請求項４に記載の開閉扉体は、請求項１から３のいずれか一項に記載の開閉扉体において、前記外部空間と前記内部空間との相互間に光を透過させるための採光窓と、前記外部空間における前記採光窓に対して対向する位置に配置された第二外装パネルと、を備え、前記本体部を、前記採光窓を囲繞するように配置し、前記第二外装パネルにおける前記内外方向と直交する方向の側端部と、前記採光窓との相互間に、第二空間を形成した。
【００１０】
また、請求項５に記載の開閉扉体は、請求項４に記載の開閉扉体において、前記第二外装パネルを、当該第二外装パネルが前記採光窓に当接しないように、前記本体部に対して接続した。
【００１１】
また、請求項６に記載の開閉扉体は、請求項４又は５に記載の開閉扉体において、前記内外方向と直交する方向において、前記第二外装パネルの長さを前記採光窓の長さよりも短くし、前記第一外装パネルと前記第二外装パネルとの相互間に、前記外部空間から前記採光窓へと光を通過させるための採光空間を形成した。
【００１２】
また、請求項７に記載の開閉扉体は、請求項４から６のいずれか一項に記載の開閉扉体において、前記第一外装パネルの外装面と前記第二外装パネルの外装面とを、相互に面一に配置した。
【００１３】
また、請求項８に記載の開閉扉体は、請求項４から７のいずれか一項に記載の開閉扉体において、平面視において前記本体部の長手方向と直交する方向における、前記第一外装パネルの外装面から前記第一空間に至る距離と、前記第二外装パネルの外装面から前記第二空間に至る距離とを、相互に同一とした。
【発明の効果】
【００１４】
請求項１に記載の開閉扉体によれば、第一外装パネルにおける外部空間から内部空間へと至る内外方向と直交する方向の側端部と、本体部との相互間に、第一空間を形成したので、第一外装パネルが本体部の前面に浮かび上がって見えるような開閉扉体を構成することができ、装飾体（第一外装パネル）の肉厚を大きくすることなく、意匠性や重厚感を向上させることが可能となる。また、第一空間を形成したので、第一空間を形成しない場合と比べて、第一外装パネルの重量を低減して開閉扉体の開閉し易さを向上させることができ、開閉扉体の機能性が低下することを防止することが可能になる。
【００１５】
請求項２に記載の開閉扉体によれば、第一外装パネルを、当該第一外装パネルの一部が本体部に当接するように、本体部に対して接続するので、第一外装パネルの本体部に対する接続強度を向上させることができ、開閉扉体全体の強度を向上させることが可能になる。
【００１６】
請求項３に記載の開閉扉体によれば、第一外装パネルを、内外方向と直交する方向の中央部において本体部と当接し、かつ、内外方向と直交する方向の側端部において本体部と当接しないように、本体部に対して接続するので、中央部においては第一外装パネルの本体部に対する接続強度を向上させつつ、側端部においては第一外装パネルの重量の増大を抑えることが可能になる。
【００１７】
請求項４に記載の開閉扉体によれば、第二外装パネルにおける内外方向と直交する方向の側端部と、採光窓との相互間に、第二空間を形成したので、第二外装パネルが採光窓の前面に浮かび上がって見えるような開閉扉体を構成することができ、装飾体（第二外装パネル）の肉厚を大きくすることなく、意匠性や重厚感を向上させることが可能となる。また、第二空間を形成したので、第二空間を形成しない場合と比べて、第二外装パネルの重量を低減して開閉扉体の開閉し易さを向上させることができ、開閉扉体の機能性が低下することを防止することが可能になる。さらに、第二外装パネルを採光窓に対して並設する場合には、採光窓を複数枚に分割して配置する必要が生じるのに対して、請求項４に記載の開閉扉体によれば、第二外装パネルを外部空間に配置したので、採光窓を複数枚に分割して配置する必要がなくなり、開閉扉体の部材点数を削減することが可能になる。
【００１８】
請求項５に記載の開閉扉体によれば、第二外装パネルは採光窓に当接することなく本体部に対して接続されるので、内部空間への採光性が低減することを一層確実に防止することが可能になると共に、第二外装パネルが採光窓に当接して採光窓に傷が付くこと等を防止することが可能となる。
【００１９】
請求項６に記載の開閉扉体によれば、第一外装パネルと第二外装パネルとの相互間に外部空間から採光窓へと光を通過させるための採光空間を形成したので、開閉扉体の採光性を向上させることが可能となる。さらに、第二外装パネルを採光窓に対して並設する場合には、採光窓に対して並設された第二外装パネルによって外部空間から内部空間への光の入射範囲が狭まるため室内への採光性が低減したりするのに対して、請求項４に記載の開閉扉体のように第二外装パネルを外部空間に配置すると共に、請求項６に記載の開閉扉体のように採光空間を形成したので、光の入射範囲が狭まることを防止でき、内部空間への採光性が低減することを防止することが可能になる。
【００２０】
請求項７に記載の開閉扉体によれば、第一外装パネルの外装面と第二外装パネルの外装面とを、相互に面一に配置するので、統一感のある開閉扉体を構成することができ、開閉扉体の意匠性を一層向上させることが可能となる。
【００２１】
請求項８に記載の開閉扉体によれば、第一外装パネルの外装面から第一空間に至る距離と、第二外装パネルの外装面から第二空間に至る距離とを、相互に同一としたので、より一層統一感のある開閉扉体を構成することができ、開閉扉体の意匠性をより一層向上させることが可能となる。
【図面の簡単な説明】
【００２２】
【図１】本発明の実施の形態に係る開閉扉体の正面図である。
【図２】開閉扉体の背面図である。
【図３】開閉扉体の平面図である。
【図４】図１の開閉扉体のＡ−Ａ矢視断面図である。
【図５】図１の開閉扉体のＢ−Ｂ矢視断面図である。
【図６】図１の開閉扉体のＣ−Ｃ矢視断面図である。
【図７】図１の開閉扉体のＤ−Ｄ矢視断面図である。
【図８】図４の開閉扉体の領域Ａの拡大図である。
【発明を実施するための形態】
【００２３】
以下に添付図面を参照して、この発明に係る開閉扉体の実施の形態を詳細に説明する。まず、〔I〕実施の形態の基本的概念を説明した後、〔II〕実施の形態の具体的内容について説明し、〔III〕最後に、実施の形態に対する変形例について説明する。ただし、実施の形態によって本発明が限定されるものではない。
【００２４】
〔I〕実施の形態の基本的概念
まず、実施の形態の基本的概念について説明する。実施の形態に係る開閉扉体は、内部空間と外部空間との相互間に位置する開口領域を開閉するための扉体である。ここで、「内部空間」とは、ユーザが開閉扉体を介して出入りする一方の空間であり、屋外又は屋内のいずれであっても構わないが、本実施の形態においては屋内であるものとして説明する。「外部空間」とは、ユーザが開閉扉体を介して出入りする他方の空間であって、屋外又は屋内のいずれであっても構わないが、本実施の形態においては屋外であるものとして説明する。「開口領域」とは、内部空間と外部空間との相互間に位置する領域であって、本実施の形態においては、建物の躯体の一部分において開閉扉体を設置するために設けられた開口部分を示すものとして説明する。また、開閉扉体の取り付け位置や用途は任意であり、例えば玄関に設置される「玄関ドア」、勝手口や通用口に設置される「勝手口ドア」、あるいは建物内部に設置されるための「室内ドア」を含む。また、開閉扉体の開閉構造は任意であり、例えば「引き戸」として構成することもできるが、本実施の形態においては「開き戸」であるものとして説明する。
【００２５】
〔II〕本実施の形態の具体的内容
次に、本実施の形態の具体的内容について説明する。
【００２６】
（構成−開閉扉体）
初めに、本実施の形態に係る開閉扉体１の構成について説明する。図１は、本実施の形態に係る開閉扉体１の正面図である。図２は、開閉扉体１の背面図である。図３は、開閉扉体１の平面図である。図４は、図１の開閉扉体１のＡ−Ａ矢視断面図である。図５は、図１の開閉扉体１のＢ−Ｂ矢視断面図である。図６は、図１の開閉扉体１のＣ−Ｃ矢視断面図である。図７は、図１の開閉扉体１のＤ−Ｄ矢視断面図である。なお、図３から図７においては、開閉扉体１が設置される建物の躯体３については図示を省略している。ここで、以下の説明では、図１から図７におけるＸ−Ｘ’方向を「幅方向」と称し、特にＸ方向を「右方向」、Ｘ’方向を「左方向」と称する。また、Ｙ−Ｙ’方向を「奥行き方向」と称し、特にＹ方向を「後方向（又は屋内側方向、若しくは閉鎖方向）」、Ｙ’方向を「前方向（屋外側方向、若しくは開放方向）」と称する。また、Ｚ−Ｚ’方向を「高さ方向」と称し、特にＺ方向を「上方向」、Ｚ’方向を「下方向」と称する。また、図４のようにＸ−Ｙ平面に平行な断面を「横断面」、図６のようにＹ−Ｚ平面に平行な断面を「縦断面」と称する。また、平面視における内部空間５から外部空間４へと至る方向（すなわち、本実施の形態における奥行き方向）を、必要に応じて「内外方向」と称して説明する。ここで、「内外方向に直交する方向」といった場合には、幅方向に沿った方向や高さ方向に沿った方向等が考えられるが、本実施の形態においては、幅方向に沿った方向であるものとして説明する。また、内外方向に直交する平面（すなわち、本実施の形態におけるＸ−Ｚ平面）を「立設面」と称して説明する。
【００２７】
これら図１から図７に示すように、本実施の形態に係る開閉扉体１は、概略的に、枠体１０、本体部２０、採光窓３０、第一外装パネル４０、及び第二外装パネル５０を備えて構成されている。ただし、開閉扉体１における特記しない構成については従来と同様であるものとして説明を省略する。
【００２８】
（構成−開閉扉体−枠体）
枠体１０は、建物の開口領域２に設けられるものであり、左右一対の縦枠１１、１２、上枠１３、及び下枠１４を備えている。これら左右一対の縦枠１１、１２、上枠１３、及び下枠１４は、それぞれ開口領域２の周縁における建物の躯体３に公知の方法で直接的に固定され、相互に組み合わせられて、全体として正面角環状の枠を構成する。以下では、必要に応じて、一対の縦枠１１、１２のうち、本体部２０の戸先側（本体部２０の左右のうち、後述する蝶番２８から遠い側であり、本実施の形態においては左側）の縦枠を「戸先側縦枠１１」と称し、本体部２０の戸尻側（本体部２０の左右のうち、蝶番２８に近い側であり、本実施の形態においては右側）の縦枠を「戸尻側縦枠１２」と称する。このうち、戸先側縦枠１１には、本体部２０を全閉位置（本実施の形態においては図１〜３に示す位置）に位置させた状態において、デッドボルト受けとラッチ受け（いずれも図示省略）が設けられている。このような枠体１０を構成する各部材は、任意の方法や材質で製造することができ、例えば、スチール製の板状体を折り曲げ成形することにより製造することができる。
【００２９】
（構成−開閉扉体−本体部）
本体部２０は、建物の開口領域２を開閉するための略平板状の開閉体である。この本体部２０は、図４に示すように、採光窓３０の左側方の位置において高さ方向に沿って配置された部分である「本体左側部２１」、及び採光窓３０の右側方の位置において高さ方向に沿って配置された部分である「本体右側部２２」と、図６に示すように、採光窓３０の上方の位置において本体右側部２２と本体左側部２１とを相互に接続するように配置された部分である「本体上部２３」、及び採光窓３０の下方の位置において本体右側部２２と本体左側部２１とを相互に接続するように配置された部分である「本体下部２４」とを備え、これら本体左側部２１、本体右側部２２、本体上部２３、及び本体下部２４によって採光窓３０を囲繞するように構成される。なお、この本体右側部２２及び本体左側部２１を特に区別する必要の無いときは単に「本体側部２１、２２」と称して説明する。
【００３０】
これら本体左側部２１、本体右側部２２、本体上部２３、あるいは本体下部２４は、それぞれ任意の方法や材質で製造することができるが、本実施の形態においては、断面コ字状の複数のスチール製の枠材６ａ〜６ｌを備えて扉枠２５が構成されており、このうち枠材６ｈ、６ｌ、６ｂ、６ｄが囲繞する部分には開口部３１が形成される。そして、このように開口部３１が形成される部分を除いて枠材６ａ〜６ｌの屋外側及び屋内側に位置する一対の化粧鋼板２６ａ、２６ｂで枠材６ａ〜６ｌを外側から覆い、これら一対の化粧鋼板２６ａ、２６ｂの相互間には断熱材２７が収容されている。
【００３１】
ここで、図４に示すように、本体左側部２１は枠材６ａ、６ｂを備え、本体右側部２２は枠材６ｃ、６ｄを備えて構成されており、これら枠材６ａ、６ｂ、６ｃ、６ｄはいずれも長手方向が高さ方向に沿うように配置されている。そして、枠材６ａ及び枠材６ｃは本体部２０の高さと略同一の高さとなるように構成され、枠材６ｂ及び枠材６ｄは採光窓３０の高さと略同一の高さとなるように構成されている。ここで、枠材６ａ及び枠材６ｂは、採光窓３０の左側方において断熱材２７を介して相互に対向するように配置されており、枠材６ｃ及び枠材６ｄは、採光窓３０の右側方において断熱材２７を介して相互に対向するように配置されており、枠材６ｂ及び枠材６ｄは、採光窓３０を介して相互に対向するように配置されている。ここで、枠材６ａの側面のうち戸先側の側面にはエッジ材２９ｄを介してネジ２９ｅが挿通されており、このようにして枠材６ａの側面に対してエッジ材２９ｄが接合されている。このエッジ材２９ｄは、本体左側部２１と戸先側縦枠１１との相互間の隙間を正面から覆うことにより、デッドボルト（図示省略）を隠して防犯性を高めるためのものである。また、枠材６ｃの側面のうち戸尻側の側面において、上下方向における３箇所に配置された蝶番２８の蝶番面がネジ止めされており、このようにして、本体部２０が戸尻側縦枠１２に開動自在に軸支されている。
【００３２】
ここで、図１や図２に示すように、本体左側部２１の戸先側の近傍位置には、把手２９ａ、ラッチ（図示省略）、及びシリンダ錠２９ｂが設けられている。把手２９ａは、本体左側部２１の前面と後面における相互に対応する位置に設けられており、この把手２９ａを介してユーザが本体部２０の開閉操作を行うことが可能となっている。ラッチは、本体左側部２１の内部に設けられた連動機構（図示省略）を介して把手２９ａと連結されており、ユーザによる把手２９ａの操作に連動して、ラッチを本体左側部２１の戸先側の側面から出し入れすることができ、本体部２０を全閉位置に位置させた状態において、このラッチを戸先側縦枠１１のラッチ受けに係脱自在に係止させることで、施錠の有無に関わらず、本体部２０を全閉位置に維持することが可能になっている。また、シリンダ錠２９ｂは、本体左側部２１の把手２９ａの近傍位置に設けられており、ユーザが本体部２０の前方から鍵操作を行うことにより、あるいはユーザが本体部２０の後方からサムターン２９ｃの操作を行うことにより、デッドボルト（図示省略）を本体左側部２１の戸先側の側面から出し入れすることができ、本体部２０を全閉位置に位置させた状態において、このデッドボルトを戸先側縦枠１１のデッドボルト受けに係止させることで、本体部２０を施錠することができる。
【００３３】
本体上部２３は、図６に示すように、いずれも長手方向が幅方向に沿うように配置された枠材６ｅ、６ｆ、６ｇ、６ｈを備えて構成されている。ここで、枠材６ｅは本体部２０の幅と略同一の幅となるように構成され、枠材６ｈは採光窓３０の幅と略同一の幅となるように構成され、枠材６ｆ及び枠材６ｇは枠材６ｅよりも短い幅であって枠材６ｈよりも長い幅（具体的には、本体左側部２１の前方に位置する第一外装パネル４０の左端部から、本体右側部２２の前方に位置する第一外装パネル４０の右端部に至る幅と略同一の幅）となるように構成されている。このうち、枠材６ｅと枠材６ｆ、及び枠材６ｇと枠材６ｈはそれぞれ相互に当接するように配置されており、枠材６ｆと枠材６ｇは断熱材２７を介して対向するように配置されている。ここで、枠材６ｆ及び枠材６ｇの側面のうち屋外側の側面には複数のネジ孔（図示省略）が幅方向に沿って並設されている。そして、図６に示すように、第二外装パネル５０及び当該ネジ孔を順次介して挿通されたネジ２３ａ、２３ｂにより、第二外装パネル５０が枠材６ｆ及び枠材６ｇに対して固定されている。また、図７においては図示を省略しているが、第一外装パネル４０及び当該ネジ孔を順次介して挿通されたブラインドリベット４１ｆ（後述する）により、第一外装パネル４０が枠材６ｆ及び枠材６ｇに対して固定されている。
【００３４】
また、本体下部２４は、図６に示すように、いずれも長手方向が幅方向に沿うように配置された枠材６ｉ、６ｊ、６ｋ、６ｌを備えて構成されているが、これらの枠材６ｉ、６ｊ、６ｋ、６ｌはそれぞれ枠材６ｅ、６ｆ、６ｇ、６ｈと上下対称に構成することができるため、その詳細な説明を省略する。ここで、枠材６ｊ及び枠材６ｋの側面のうち屋外側の側面には複数のネジ孔（図示省略）が幅方向に沿って並設されている。そして、図６に示すように、第二外装パネル５０及び当該ネジ孔を順次介して挿通されたネジ２４ａ、２４ｂにより、第二外装パネル５０が枠材６ｆ及び枠材６ｇに対して固定されている。また、図７においては図示を省略しているが、第一外装パネル４０及び当該ネジ孔を順次介して挿通されたブラインドリベット４１ｆ（後述する）により、第一外装パネル４０が枠材６ｊ及び枠材６ｋに対して固定されている。
【００３５】
（構成−開閉扉体−採光窓）
採光窓３０は、開閉扉体１の意匠性や採光性を高める等の目的から設けられたものであって、外部空間４と内部空間５との相互間に光を透過させるための採光手段である。この採光窓３０は、概略的には、本体部２０に形成した開口部３１に複層ガラス３２を固定することによって構成されている。具体的には、上述したように、本体部２０の左右及び上下の中央位置には、全体として正面形状が縦長長方形状となるように枠材６ｈ、６ｌ、６ｂ、６ｄが配置されており（図４及び図６参照）、これら枠材６ｈ、６ｌ、６ｂ、６ｄが四周を囲繞するように開口部３１が設けられている。そして、これら枠材６ｈ、６ｌ、６ｂ、６ｄにおける開口部３１側には複層ガラス３２が配置されており、当該枠材６ｈ、６ｌ、６ｂ、６ｄと複層ガラス３２との相互間に気密材３３が配置されることにより、開口部３１に複層ガラス３２が固定されている。
【００３６】
（構成−開閉扉体−第一外装パネル）
第一外装パネル４０は、開閉扉体１の意匠性を高める等の目的から設けられたもので、外部空間４における本体部２０に対して対向する位置に配置されたパネルである。この第一外装パネル４０は、具体的には本体左側部２１の前方位置、及び本体右側部２２の前方位置の２か所に配置されており、それぞれの第一外装パネル４０は長手方向が高さ方向に沿うように配置された略長板形状体として構成されている。なお、各第一外装パネル４０は、配置位置を除いて相互に同様に構成することが可能であるため、本実施の形態においてはこのうち一方（本体左側部２１の前方位置に配置された第一外装パネル４０）のみについて説明する。
【００３７】
ここで、第一外装パネル４０は、図３、図４、図６、図７に示すように、概略的に、第一固定材４１、第一外装材４２、コア材４３、及び第一エッジキャップ４４を備えて構成されている。
【００３８】
第一固定材４１は、第一外装パネル４０を本体部２０に対して固定するための第一外装パネル固定手段であって、第一固定後片４１ａ、第一固定上片４１ｂ、第一固定下片４１ｃ、第一固定右側片４１ｄ、及び第一固定左側片４１ｅを一体に備えて構成されており、全体として５面体の箱型形状体に形成されている。
【００３９】
第一固定後片４１ａは、立設面に沿って配置される板状体であり、本体側部２１、２２と当接した状態において、本体側部２１、２２に対してブラインドリベット４１ｆを用いた公知の方法により固定されている。第一固定上片４１ｂは、第一固定後片４１ａの上端部において横断面に沿って配置される板状体であり、第一固定下片４１ｃは、第一固定後片４１ａの下端部において横断面に沿って配置される板状体である。第一固定右側片４１ｄは、第一固定後片４１ａの右端部において縦断面に沿って配置される板状体であり、第一固定左側片４１ｅは、第一固定後片４１ａの左端部において縦断面に沿って配置される板状体である。
【００４０】
第一外装材４２は、第一外装前片４２ａ、第一外装上片４２ｂ、第一外装下片４２ｃ、第一外装右側片４２ｄ、４２ｅ、及び第一外装左側片４２ｆ、４２ｇを一体に備えて構成されており、全体として横断面の形状が略Ｃ字状となるような略５面体の箱型形状体（厳密には、このうち２つの片（第一外装右側片４２ｄ、４２ｅ及び第一外装左側片４２ｆ、４２ｇ）については端部において折り曲げられており、それぞれが断面Ｌ字状の２面体に形成されている）に形成された外装手段である。
【００４１】
第一外装前片４２ａは、第一外装材４２における最も本体部２０から遠い位置において本体部２０の立設面に沿って配置される板状体である。なお、この第一外装前片４２ａにおける本体部２０から遠い側の面を以下では必要に応じて「第一外装パネル４０の外装面」と称して説明する。ここで、この第一外装パネル４０の外装面の素材は任意であるが、本実施の形態においては、第一外装パネル４０の外装面は、本体部２０と同一の素材で形成されており、本体部２０と相まって意匠上の統一感を醸成している。第一外装上片４２ｂは、第一外装前片４２ａの上端部において横断面に沿って配置される板状体であり、第一外装下片４２ｃは、第一外装前片４２ａの下端部において横断面に沿って配置される板状体である。そして、これら第一外装上片４２ｂ及び第一外装下片４２ｃは、上述した第一固定上片４１ｂ及び第一固定下片４１ｃを上下から挟むように配置される。第一外装右側片４２ｄ、４２ｅは、横断面視において略Ｌ字状に一体に形成された板状体であり、第一外装前片４２ａの右端部において縦断面に沿って配置される板状体である第一外装右側片４２ｄと、第一外装右側片４２ｄの後端部において立設面に沿って配置される板状体である第一外装右側片４２ｅとを備える。また、第一外装左側片４２ｆ、４２ｇは、横断面視において略Ｌ字状に一体に形成された板状体であり、第一外装前片４２ａの左端部において縦断面に沿って配置される板状体である第一外装左側片４２ｆと、第一外装左側片４２ｆの後端部において立設面に沿って配置される板状体である第一外装左側片４２ｇとを備える。そして、これら第一外装右側片４２ｄ、４２ｅ及び第一外装左側片４２ｆ、４２ｇは、上述した第一固定右側片４１ｄ及び第一固定左側片４１ｅを左右から挟むように配置される。
【００４２】
ここで、本体左側部２１に対して固定された第一外装パネル４０の第一外装右側片４２ｄの幅方向における位置を決定する際には、気密材３３との相対的な位置関係を考慮することが好ましい。例えば、本実施の形態においては、気密材３３の右端部の位置から幅方向において所定距離（例えば８ｍｍ）右方の位置に第一外装右側片４２ｄを配置することにより、気密材３３が正面から目視し難くなるような構成として、意匠性が低下することを防止している。なお、本体右側部２２に対して固定された第一外装パネル４０の第一外装左側片４２ｆについても同様の観点により位置を決定することが望ましい。
【００４３】
コア材４３は、第一固定材４１と第一外装材４２との相互間に充填された公知の芯材であって、例えばペーパーコア等により形成されている。
【００４４】
第一エッジキャップ４４は、第一外装パネル４０の上端部及び下端部に形成される角部を被覆して、ユーザが角部に接触した際に怪我等することを防止するための保護手段である。具体的にはこの第一エッジキャップ４４は、図３及び図７に示すように、第一外装パネル４０の上端部及び下端部における幅方向の両側端部に配置された樹脂製のキャップであり、第一外装パネル４０の上下からネジ４４ａを用いた公知のネジ止め等の方法により第一外装パネル４０に対して固定されている。
【００４５】
（構成−開閉扉体−第二外装パネル）
第二外装パネル５０は、開閉扉体１の意匠性を高める等の目的から設けられたもので、外部空間４における採光窓３０に対して対向する位置に配置されたパネルである。この第二外装パネル５０は、図４や図６に示すように、概略的には採光窓３０の所定距離前方の位置（例えば、屋外側に配置された方の複層ガラス３２の前面から前方に１２ｍｍ程度の位置）において採光窓３０に対して当接することなく配置され、第二外装パネル５０の上端部周辺において本体上部２３と接続され、第二外装パネル５０の下端部周辺において本体下部２４と接続される。なお、第一外装パネル４０を本体側部２１、２２に当接するように固定した事に対して第二外装パネル５０を採光窓３０に当接しないように固定した理由は、第二外装パネル５０が採光窓３０に当接することにより内部空間５への採光性が低減することを防止すると共に、第二外装パネル５０が採光窓３０に当接して採光窓３０に傷が付くこと等を防止するためである。
【００４６】
ここで、第二外装パネル５０は、図５に示すように、第二固定材５１、第二補強材５２、第二外装材５３、上キャップ５４、下キャップ５５、及び第二エッジキャップ５６を備えて構成されている。
【００４７】
第二固定材５１は、第二外装パネル５０を本体部２０に対して固定するための第二外装パネル固定手段であって、図６に示すように高さ方向に沿って２つ設けられており、それぞれの第二固定材５１は本体上部２３及び本体下部２４に対して当接するように、かつ、採光窓３０に対して当接しないように配置されている。なお、各第二固定材５１は上下対称に構成することができるため、以下ではこのうち一方の第二固定材５１（本実施の形態では、本体上部２３に当接する第二固定材５１）についてのみ説明する。
【００４８】
この本体上部２３に当接する第二固定材５１は、具体的には、第二固定後片５１ａ、第二固定下片５１ｃ、第二固定右側片５１ｄ、及び第二固定左側片５１ｅを一体に備えて構成されており、全体として下面及び正面に開口面が形成された４面体に形成されている。第二固定後片５１ａは、本体部２０の立設面に沿って配置される板状体であり、本体上部２３における枠材６ｆ及び枠材６ｇの屋外側の面に設けられたネジ孔（図示省略）に対して、ネジ２３ａ、２３ｂを用いた公知の方法により固定されている。ここで、第二固定後片５１ａの高さ方向に沿った長さは、第二固定材５１を本体上部２３に対してより強固に固定するために、より長い方が望ましく、特に本実施の形態においては、本体上部２３の高さ方向に沿った長さと略同一の長さにて形成されている。第二固定下片５１ｃは、第二固定後片５１ａの下端部において横断面に沿って配置される板状体であり、第二固定右側片５１ｄは、第二固定後片５１ａの右端部において縦断面に沿って配置される板状体であり、第二固定左側片５１ｅは、第二固定後片５１ａの左端部において縦断面に沿って配置される板状体である。これら第二固定下片５１ｃ、第二固定右側片５１ｄ、及び第二固定左側片５１ｅは、いずれも同一の奥行き方向に沿った長さを有し、このようにこれら３つの部材により第二外装材５３を本体部２０及び採光窓３０から所定距離前方に離れた位置に立ち上げて配置することができる。
【００４９】
ここで、上述したように、第二固定材５１は２か所に配置されており、各第二固定材５１は上下対称に構成されている。つまり、本体下部２４に当接する第二固定材５１においては、第二固定下片５１ｃは第二固定後片５１ａの上端部において横断面に沿って配置される。このように、本体下部２４に当接する第二固定材５１において最も上方に第二固定下片５１ｃが位置するため、説明の便宜上、本体下部２４に当接する第二固定材５１の第二固定下片５１ｃを以下では必要に応じて「第二固定上片５１ｂ」と称して説明する。
【００５０】
第二補強材５２は、第二外装パネル５０を補強して第二外装パネル５０の耐久性を向上させるための第二外装パネル補強手段である。この第二補強材５２は任意の方法や材質で製造することができ、例えばアルミニウム合金を押出成形することにより製造することができる。ここで、この第二補強材５２は、中空の角筒体として形成されており、第二固定材５１の第二固定後片５１ａに対してネジ５２ｃを用いた公知の方法により固定されている。また、図５に示すように、第二補強材５２の幅方向における両側端部には、立設面に沿って配置される接続片５２ａが突設されており、この両端部の接続片５２ａと、第二外装材５３の後述する第二外装右側片５３ｂ、５３ｃ及び第二外装左側片５３ｄ、５３ｅとが、樹脂製のリベット５２ｄを用いた公知の方法により固定されている。また、第二補強材５２の中空部には、幅方向に沿って２つのネジ受け５２ｂが並設されている。各ネジ受け５２ｂは、第二補強材５２の高さ方向全長に掛けて連続するように形成された横断面形状が略Ｃ字状の長尺状の溝として構成されている。
【００５１】
第二外装材５３は、第二外装前片５３ａ、第二外装右側片５３ｂ、５３ｃ、及び第二外装左側片５３ｄ、５３ｅを備えて構成されており、全体として横断面の形状が略Ｃ字状となるような略３面体の形状体（厳密には、このうち２つの片（第二外装右側片５３ｂ、５３ｃ、及び第二外装左側片５３ｄ、５３ｅ）については端部において折り曲げられており、それぞれが断面Ｌ字状の２面体に形成されている）に形成された外装手段である。
【００５２】
第二外装前片５３ａは、第二外装材５３における最も本体部２０から遠い位置において本体部２０の立設面に沿って配置される板状体である。なお、この第二外装前片５３ａにおける本体部２０から遠い側の面を以下では必要に応じて「第二外装パネル５０の外装面」と称して説明する。ここで、この第二外装パネル５０の外装面の素材は任意であるが、本実施の形態においては、第二外装パネル５０の外装面は、本体部２０や上述した第一外装パネル４０の外装面と同一の素材で形成されており、本体部２０や第一外装パネル４０の外装面と相まって意匠上の統一感を醸成している。また、第二外装パネル５０の外装面と第一外装パネル４０の外装面とが面一に配置されるように第一外装パネル４０と第二外装パネル５０の各部は構成されており、このことにより意匠上の統一感を向上させている。なお、第二外装前片５３ａと第二補強材５２とは両面テープを用いた公知の方法により固定されている。
【００５３】
第二外装右側片５３ｂ、５３ｃは、横断面視において略Ｌ字状に一体に形成された板状体であり、第二外装前片５３ａの右端部において縦断面に沿って配置される板状体である第二外装右側片５３ｂと、第二外装右側片５３ｂの後端部において立設面に沿って配置される板状体である第二外装右側片５３ｃとを備える。また、第二外装左側片５３ｄ、５３ｅは、横断面視において略Ｌ字状に一体に形成された板状体であり、第二外装前片５３ａの左端部において縦断面に沿って配置される板状体である第二外装左側片５３ｄと、第二外装左側片５３ｄの後端部において立設面に沿って配置される板状体である第二外装左側片５３ｅとを備える。そして、第二外装右側片５３ｃ及び第二外装左側片５３ｅのそれぞれは、上述したように第二補強材５２の接続片５２ａに対して樹脂製のリベット５２ｄを用いた公知の方法により固定されている。
【００５４】
上キャップ５４は、第二固定材５１、第二補強材５２、及び第二外装材５３の上方を覆うように配置されたキャップであって、四隅のうち本体部２０に近い位置の二隅（すなわち、後方に位置する二隅）を角型に切り欠いた形状の長板部材として構成されている。ここで、この上キャップ５４の板状面には、上キャップ５４の長手方向（すなわち、本実施の形態における幅方向）に沿って２つのネジ孔（図示省略）が並設されており、このネジ孔にネジ５４ａを挿通することにより上キャップ５４が第二補強材５２に対して固定される。また、下キャップ５５は、第二固定材５１、第二補強材５２、及び第二外装材５３の下方を覆うように配置されたキャップであって、上キャップ５４と同様の形状に構成されている。そして、下キャップ５５の板状面には、下キャップ５５の長手方向（すなわち、本実施の形態における幅方向）に沿って２つのネジ孔（図示省略）が並設されており、このネジ孔にネジ５４ａを挿通することにより下キャップ５５が第二補強材５２に対して固定される。なお、このような上キャップ５４及び下キャップ５５の具体的な固定方法については後述する。
【００５５】
第二エッジキャップ５６は、第二外装パネル５０の上端部及び下端部に形成される角部を被覆して、ユーザが角部に接触した際に怪我等することを防止するための保護手段である。具体的には、この第二エッジキャップ５６は、図３や図６に示すように、第二外装パネル５０の上端部及び下端部における幅方向の両側端部に配置された樹脂製のキャップであり、第二外装パネル５０の上下からネジ５６ａを用いて上キャップ５４又は下キャップ５５にネジ止めされることにより、第二外装パネル５０に対して固定されている。
【００５６】
（取付方法）
続いて、第一外装パネル４０及び第二外装パネル５０の本体部２０に対する取付方法について説明する。
【００５７】
（取付方法−第一外装パネル）
初めに、第一外装パネル４０の取付方法について、図３、図４、図７等を参照して説明する。まずは、本体部２０に採光窓３０を公知の方法で取り付けた後、当該採光窓３０を取り付けた本体部２０を水平に寝かせた状態で配置する。次いで、第一固定材４１の第一固定後片４１ａをブラインドリベット４１ｆを用いた公知の方法により枠材６ｆ、６ｇ、６ｋ、６ｊに対して固定する。そして、第一固定材４１の屋外側の面に接着剤を塗布し、さらに第一外装材４２の屋内面の面に接着剤を塗布する。そして、第一固定材４１の屋外側の面にコア材４３を載置すると共に、このコア材４３の屋外側の面に第一外装材４２を載置することにより、これら第一固定材４１と第一外装材４２との相互間にコア材４３を配置し、この状態において第一外装材４２を第一固定材４１に向けて押圧することにより、これら第一固定材４１、コア材４３、及び第一外装材４２を相互に接着固定する。最後に、ネジ４４ａを用いて、第一外装材４２の上端及び下端における幅方向の両側端部に第一エッジキャップ４４をネジ止めする。
【００５８】
（取付方法−第二外装パネル）
次に、第二外装パネル５０の取付方法について、図４、図５、図６等を参照して説明する。まずは、上方に位置する第二固定材５１及び下方に位置する第二固定材５１と、第二補強材５２とを、ネジを用いた方法により接続する。具体的には、第二固定材５１の第二固定後片５１ａと第二補強材５２には相互に対応する位置にネジ孔（図示省略）が設けられており、これら各ネジ孔に対してネジ５２ｃを挿通して締結することにより、これら第二固定材５１と第二補強材５２とを接続する。
【００５９】
次に、これら第二固定材５１と第二補強材５２とを、枠材６ｆ、６ｇ、６ｊ、６ｋに対してネジを用いた方法により接続する。具体的には、枠材６ｆ、６ｇ、６ｊ、６ｋにおける屋外側の面にはネジ孔（図示省略）が設けられており、第二補強材５２及び第二固定材５１のそれぞれには、正面視において当該ネジ孔と対応する位置に貫通孔（図示省略）が設けられている。そして、第二補強材５２及び第二固定材５１を規定の位置（本体部２０の前面）に配置させた状態において、第二補強材５２の屋外側から、第二補強材５２の貫通孔、及び第二固定材５１の貫通孔を順次介して枠材６ｆ、６ｇ、６ｊ、６ｋに設けられたネジ孔へとネジ２３ａ、２３ｂ、２４ａ、２４ｂを挿通して締結することにより、枠材６ｆ、６ｇ、６ｊ、６ｋに第二固定材５１及び第二補強材５２を固定することができる。
【００６０】
次に、第二補強材５２に対して第二外装材５３を固定する。具体的には、第二補強材５２における屋外側の面に両面テープを貼り付けて、屋外側から屋内側へ向けて第二外装材５３を第二補強材５２に対して押し当てることにより、両面テープの粘着力により第二補強材５２に対して第二外装材５３が仮固定される。この際には、第二外装材５３の第二外装前片５３ａと第二補強材５２との相互間に両面テープが位置する事となる。そして、第二外装材５３の第二外装右側片５３ｃ及び第二外装左側片５３ｅと、第二補強材５２の接続片５２ａとを樹脂製のリベット５２ｄにより接続することで第二補強材５２に対して第二外装材５３を本固定することができる。
【００６１】
次に、第二補強材に対して上キャップ５４及び下キャップ５５を固定する。具体的には、まずは上キャップ５４を第二固定材５１、第二補強材５２、及び第二外装材５３の上方に載置した状態において、上キャップ５４の上方から上キャップ５４に形成されたネジ孔（図示省略）を介して第二補強材５２のネジ受け５２ｂへ至るようにネジ５４ａを挿通してネジ止めすることにより、上キャップ５４を第二補強材５２に固定する。同様に、下キャップ５５を第二固定材５１、第二補強材５２、及び第二外装材５３の下方に当接させた状態において、下キャップ５５の下方から下キャップ５５に形成されたネジ孔（図示省略）を介して第二補強材５２のネジ受け５２ｂへ至るようにネジ５４ａを挿通してネジ止めすることにより、下キャップ５５を第二補強材５２に固定する。なお、上キャップ５４及び下キャップ５５はどちらを先に第二補強材５２に固定しても構わない。
【００６２】
最後に、ネジ５６ａを用いて、上キャップ５４の上方及び下キャップ５５の下方における幅方向の両側端部に第二エッジキャップ５６をネジ止めする。
【００６３】
（空間）
続いて、このように構成された開閉扉体１の各部に形成される空間について説明する。図８は、図４の開閉扉体１の領域Ａの拡大図である。この図８に示すように、本実施の形態に係る開閉扉体１は、概略的に、第一空間Ｅ１、第二空間Ｅ２、及び採光空間Ｅ３を備える。
【００６４】
（空間−第一空間）
第一空間Ｅ１は、第一外装パネル４０の側端部と本体側部２１、２２との相互間に形成される空間であって、開閉扉体１の機能性及び意匠性を向上させるために形成された空間である。換言すると、この第一空間Ｅ１は、上記のように、第一外装パネル４０が、第一外装右側片４２ｄ、第一外装右側片４２ｅ、第一外装左側片４２ｆ、及び第一外装左側片４２ｇを備え、第一外装パネル４０の全体の形状が内外方向と直交する方向の両側端部における屋内側の角部を切り欠くことによって、第一外装パネル４０の側端部と本体側部２１、２２との相互間に形成される。ここで、「第一外装パネル４０の側端部と本体側部２１、２２との相互間」とは、具体的には、第一外装パネル４０の側端部における最も屋内側の面（すなわち、第一外装右側片４２ｅ及び第一外装左側片４２ｇ）と、本体側部２１、２２の最も屋外側の面（すなわち、化粧鋼板２６ａ）との相互間である。このように第一外装パネル４０の両側端部と本体側部２１、２２との相互間に第一空間Ｅ１が形成されていることにより、ユーザが開閉扉体１の右斜め前方や左斜め前方から開閉扉体１を目視した際に、第一外装パネル４０が本体部２０から離れた位置に浮いて見え、優れた意匠を醸成することができる。
【００６５】
（空間−第二空間）
第二空間Ｅ２は、第二外装パネル５０の側端部と採光窓３０との相互間に形成される空間であって、開閉扉体１の機能性及び意匠性を向上させるために形成された空間である。具体的には、この第二空間Ｅ２は、上記のように、第二外装パネル５０が全体として採光窓３０から離れた位置に配置されていることによって、第二外装パネル５０の両側端部と採光窓３０との相互間に形成される空間である。ここで、「第二外装パネル５０の両側端部と採光窓３０との相互間」とは、具体的には、第二外装パネル５０の両側端部における最も屋内側の面（すなわち、採光窓３０に対向する面）と、採光窓３０の最も屋外側の面（すなわち、第二外装パネル５０に対向する面）との相互間である。なお、本実施の形態においては、第二外装パネル５０の両側端部に限らず中央部においても採光窓３０との相互間に空間が形成されているが、以下では両側端部と採光窓３０との相互間に形成された空間のみを「第二空間Ｅ２」と称する。このように第二外装パネル５０の両側端部と採光窓３０との相互間に第二空間Ｅ２が形成されていることにより、ユーザが開閉扉体１の右斜め前方や左斜め前方から開閉扉体１を目視した際に、第二外装パネル５０が採光窓３０から離れた位置に浮いて見え、優れた意匠を醸成することができる。
【００６６】
また、この第二空間Ｅ２は、第二外装パネル５０の側端部と採光窓３０との相互間だけに限らず、これらの相互間のさらに上方の領域（すなわち、第二外装パネル５０の側端部と本体上部２３との相互間の領域）や、これらの相互間のさらに下方の領域（すなわち、第二外装パネル５０の側端部と本体下部２４との相互間の領域）にも形成されている。このように、第二外装パネル５０が上下全体に亘って本体部２０から浮いているように見えるデザインとなっている。
【００６７】
ここで、第一外装パネル４０と第二外装パネル５０との意匠上の統一感を醸成するために、第一外装パネル４０の外装面から第一空間Ｅ１に至る距離と、第二外装パネル５０の外装面から第二空間Ｅ２に至る距離とを、相互に同一にすることが望ましい。例えば本実施の形態においては、図４に示すように、第一外装パネル４０の第一外装右側片４２ｄ、及び第一外装左側片４２ｆと、第二外装パネル５０の第二外装右側片５３ｂ、及び第二外装左側片５３ｄとは、相互に同一の奥行き方向に沿った長さとなるように形成されているため、第一外装パネル４０と第二外装パネル５０との意匠上の統一感を醸成している。
【００６８】
（空間−採光空間）
採光空間Ｅ３は、第一外装パネル４０と第二外装パネル５０との相互間に形成される空間であって、外部空間４から当該採光空間Ｅ３を介して採光窓３０へと光を通過させることにより、開閉扉体１の採光性を向上させるために形成された空間である。具体的には、外部空間４から採光窓３０を介して内部空間５へと至る直線上に第一外装パネル４０及び第二外装パネル５０の両方が位置しないように開閉扉体１を構成した際に、第一外装パネル４０と第二外装パネル５０との相互間に形成される空間である。例えば本実施の形態においては、第二外装パネル５０の幅が採光窓３０の幅よりも小さくなるように第二外装パネル５０を構成し、第二外装パネル５０を採光窓３０の幅方向中央周辺に配置し、第一外装パネル４０と第二外装パネル５０とを所定距離離れた位置に配置することによりこのような条件を満たす構成としている。
【００６９】
ここで、開閉扉体１の採光性を向上させるためには正面視における採光面の面積（すなわち、開口部３１の複層ガラス３２の面積）を増大させることが望ましいが、例えば第二外装パネル５０を開口部３１に埋め込んで第二外装パネル５０の両側方に開口部３１が位置するように構成した場合には、第二外装パネル５０の分だけ当該採光面の面積が縮小してしまう。しかし、本実施の形態のように、第二外装パネル５０を採光窓３０から所定距離前方の位置に配置することにより、採光面の面積が縮小してしまうことを防止することができる。すなわち、採光空間Ｅ３を介して採光窓３０の全面に配置された複層ガラス３２へと取り入れられた光は、当該複層ガラス３２の内部を屈折して複層ガラス３２の全面から内部空間５へと取り入れられるため、開口部３１の全面を採光面として利用することができる。
【００７０】
（実施の形態１の効果）
このように本実施の形態１によれば、第一外装パネル４０における外部空間４から内部空間５へと至る内外方向と直交する方向の側端部と、本体部２０との相互間に、第一空間Ｅ１を形成したので、第一外装パネル４０が本体部２０の前面に浮かび上がって見えるような開閉扉体１を構成することができ、装飾体（第一外装パネル４０）の肉厚を大きくすることなく、意匠性や重厚感を向上させることが可能となる。また、第一空間Ｅ１を形成したので、第一空間Ｅ１を形成しない場合と比べて、第一外装パネル４０の重量を低減して開閉扉体１の開閉し易さを向上させることができ、開閉扉体１の機能性が低下することを防止することが可能になる。
【００７１】
また、第一外装パネル４０を、当該第一外装パネル４０の一部が本体部２０に当接するように、本体部２０に対して接続するので、第一外装パネル４０の本体部２０に対する接続強度を向上させることができ、開閉扉体１全体の強度を向上させることが可能になる。
【００７２】
また、第一外装パネル４０を、内外方向と直交する方向の中央部において本体部２０と当接し、かつ、内外方向と直交する方向の側端部において本体部２０と当接しないように、本体部２０に対して接続するので、中央部においては第一外装パネル４０の本体部２０に対する接続強度を向上させつつ、側端部においては第一外装パネル４０の重量の増大を抑えることが可能になる。
【００７３】
また、第二外装パネル５０における内外方向と直交する方向の側端部と、採光窓３０との相互間に、第二空間Ｅ２を形成したので、第二外装パネル５０が採光窓３０の前面に浮かび上がって見えるような開閉扉体１を構成することができ、装飾体（第二外装パネル５０）の肉厚を大きくすることなく、意匠性や重厚感を向上させることが可能となる。また、第二空間Ｅ２を形成したので、第二空間Ｅ２を形成しない場合と比べて、第二外装パネル５０の重量を低減して開閉扉体１の開閉し易さを向上させることができ、開閉扉体１の機能性が低下することを防止することが可能になる。さらに、第二外装パネル５０を採光窓３０に対して並設する場合には、採光窓３０を複数枚に分割して配置する必要が生じるのに対して、請求項４に記載の開閉扉体１によれば、第二外装パネル５０を外部空間４に配置したので、採光窓３０を複数枚に分割して配置する必要がなくなり、開閉扉体１の部材点数を削減することが可能になる。
【００７４】
また、第二外装パネル５０は採光窓３０に当接することなく本体部２０に対して接続されるので、内部空間５への採光性が低減することを一層確実に防止することが可能になると共に、第二外装パネル５０が採光窓３０に当接して採光窓３０に傷が付くこと等を防止することが可能となる。
【００７５】
また、第一外装パネル４０と第二外装パネル５０との相互間に外部空間４から採光窓３０へと光を通過させるための採光空間Ｅ３を形成したので、開閉扉体１の採光性を向上させることが可能となる。さらに、第二外装パネル５０を採光窓３０に対して並設する場合には、採光窓３０に対して並設された第二外装パネル５０によって外部空間４から内部空間５への光の入射範囲が狭まるため室内への採光性が低減したりするのに対して、請求項４に記載の開閉扉体１のように第二外装パネル５０を外部空間４に配置すると共に、請求項６に記載の開閉扉体１のように採光空間Ｅ３を形成したので、光の入射範囲が狭まることを防止でき、内部空間５への採光性が低減することを防止することが可能になる。
【００７６】
また、第一外装パネル４０の外装面と第二外装パネル５０の外装面とを、相互に面一に配置するので、統一感のある開閉扉体１を構成することができ、開閉扉体１の意匠性を一層向上させることが可能となる。
【００７７】
また、第一外装パネル４０の外装面から第一空間Ｅ１に至る距離と、第二外装パネル５０の外装面から第二空間Ｅ２に至る距離とを、相互に同一としたので、より一層統一感のある開閉扉体１を構成することができ、開閉扉体１の意匠性をより一層向上させることが可能となる。
【００７８】
〔実施の形態に対する変形例〕
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００７９】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、本実施の形態に係る開閉扉体１の機能性及び意匠性が従来と同程度であっても、従来と異なる構造により従来と同程度の機能性及び意匠性を得ることができていれば、本願の課題は解決している。
【００８０】
（開閉扉体１の全体構成について）
本実施の形態においては、開閉扉体１が、枠体１０、本体部２０、採光窓３０、第一外装パネル４０、及び第二外装パネル５０を備える場合について説明したが、例えば、採光窓３０及び第二外装パネル５０は省略してもよい。あるいは、本体部２０に対する採光窓３０の設置位置や設置数を、本実施の形態とは異なる位置や数としてもよく、この場合には、当該異なる位置や数の採光窓３０に対して、第二外装パネル５０を配置することができる。
【００８１】
（第一外装パネル及び第二外装パネルの設置向きについて）
本実施の形態においては、第一外装パネル４０及び第二外装パネル５０は、長手方向が高さ方向に沿うように相互に一定間隔を隔てて配置するものとして説明したがこれに限定されず、例えば長手方向が幅方向に沿うように相互に一定間隔を隔てて配置しても構わない。
【００８２】
（第一空間と第一外装パネルとの位置関係、及び第二空間と第二外装パネルとの位置関係について）
本実施の形態においては、第一空間Ｅ１は第一外装パネル４０の内外方向に直交する方向の両側端部と本体部２０との相互間に形成されており、この「内外方向に直交する方向」とは、幅方向であるものとして説明したが、これに限定されない。例えば「内外方向に直交する方向」は高さ方向であって、第一空間Ｅ１は第一外装パネル４０の高さ方向における側端部と本体部２０との相互間に形成されていても良い。第二空間Ｅ２と第二外装パネル５０との位置関係についても同様である。
【００８３】
（第一外装パネルの外装面）
本実施の形態においては、第一外装パネル４０の外装面は本体部２０と同一の素材にて形成されるものとして説明したが、これに限定されない。すなわち、第一外装パネル４０の外装面は、ユーザが正面から第一外装材４２を見た際に注意を喚起する可能性が高い部分であるため、本体部２０とは異なる意匠性の高い素材（例えば木目調の素材等）にて形成されるか、あるいはそのような素材を表面に貼り付けて形成されていても良い。第二外装パネル４０の外装面についても同様である。
【００８４】
（第一外装パネル及び第二外装パネルの設置構造について）
本実施の形態においては、第一外装パネル４０を本体側部２１、２２に当接するように固定しているが、第一外装パネル４０を本体側部２１、２２に当接しないように固定しても良い。このように第一外装パネル４０を固定した場合には、第一外装パネル４０の形状を、本実施の形態に示すような平面視において両側端部に切欠き部を有する長方形状としなくても、第一外装パネル４０の両側端部と本体部２０との相互間に第一空間Ｅ１を形成することができる。また、本実施の形態においては、第二外装パネル５０を採光窓３０に当接しないように固定しているが、第二外装パネル５０を採光窓３０に当接するように固定しても良い。このように第二外装パネル５０を固定した場合に第二空間Ｅ２を形成するためには、第二外装パネル５０の形状を、本実施の形態における第一外装パネル４０に示すような平面視において両側端部に切欠き部を有する長方形状としても良い。
【００８５】
（第一空間について）
本実施の形態においては、第一外装パネル４０の両側端部と本体側部２１、２２との相互間に第一空間Ｅ１が形成されるものとして説明したが、これに限定されない。例えば、第一外装パネル４０のいずれか一方の側端部のみを切り欠いた形状に構成することによって、一方の端部と本体側部２１、２２との相互間に第一空間Ｅ１が形成されるものとしても良い。また、本実施の形態においては、第一空間Ｅ１が第一外装パネル４０の長手方向に沿って連続的に形成されているが、例えば、ユーザの注意を最も喚起する領域（例えばユーザの目線の高さに対応する領域）のみに第一空間Ｅ１を形成してもよい。
【００８６】
（第二空間について）
本実施の形態においては、第二外装パネル５０の両側端部と採光窓３０との相互間に第二空間Ｅ２が形成されるものとして説明したが、これに限定されない。例えば、第二外装パネル５０を採光窓３０に当接するように固定する構造とした上で、第二外装パネル５０のいずれか一方の側端部のみを切り欠いた形状に構成することによって、一方の端部と採光窓３０との相互間に第二空間Ｅ２が形成されるものとしても良い。また、本実施の形態においては、第二空間Ｅ２が第二外装パネル５０の長手方向に沿って連続的に形成されているが、例えば、ユーザの注意を最も喚起する領域（例えばユーザの目線の高さに対応する領域）のみに第二空間Ｅ２を形成してもよい。
【００８７】
（付記）
付記１に記載の開閉扉体は、内部空間と外部空間との相互間に位置する開口領域において開閉自在に配置される本体部と、前記外部空間における前記本体部に対して対向する位置に配置された第一外装パネルと、を備え、前記第一外装パネルにおける前記内部空間から前記外部空間へと至る内外方向と直交する方向の側端部と、前記本体部との相互間に、第一空間を形成した。
【００８８】
また、付記２に記載の開閉扉体は、付記１に記載の開閉扉体において、前記第一外装パネルを、当該第一外装パネルの一部が前記本体部に当接するように、前記本体部に対して接続した。
【００８９】
また、付記３に記載の開閉扉体は、付記２に記載の開閉扉体において、前記第一外装パネルを、前記内外方向と直交する方向の中央部において前記本体部と当接し、かつ、前記内外方向と直交する方向の側端部において前記本体部と当接しないように、前記本体部に対して接続することにより、前記側端部と前記本体部との相互間に前記第一空間を形成した。
【００９０】
また、付記４に記載の開閉扉体は、付記１から３のいずれか一項に記載の開閉扉体において、前記外部空間と前記内部空間との相互間に光を透過させるための採光窓と、前記外部空間における前記採光窓に対して対向する位置に配置された第二外装パネルと、を備え、前記本体部を、前記採光窓を囲繞するように配置し、前記第二外装パネルにおける前記内外方向と直交する方向の側端部と、前記採光窓との相互間に、第二空間を形成した。
【００９１】
また、付記５に記載の開閉扉体は、付記４に記載の開閉扉体において、前記第二外装パネルを、当該第二外装パネルが前記採光窓に当接しないように、前記本体部に対して接続した。
【００９２】
また、付記６に記載の開閉扉体は、付記４又は５に記載の開閉扉体において、前記内外方向と直交する方向において、前記第二外装パネルの長さを前記採光窓の長さよりも短くし、前記第一外装パネルと前記第二外装パネルとの相互間に、前記外部空間から前記採光窓へと光を通過させるための採光空間を形成した。
【００９３】
また、付記７に記載の開閉扉体は、付記４から６のいずれか一項に記載の開閉扉体において、前記第一外装パネルの外装面と前記第二外装パネルの外装面とを、相互に面一に配置した。
【００９４】
また、付記８に記載の開閉扉体は、付記４から７のいずれか一項に記載の開閉扉体において、平面視において前記本体部の長手方向と直交する方向における、前記第一外装パネルの外装面から前記第一空間に至る距離と、前記第二外装パネルの外装面から前記第二空間に至る距離とを、相互に同一とした。
【００９５】
（付記の効果）
付記１に記載の開閉扉体によれば、第一外装パネルにおける外部空間から内部空間へと至る内外方向と直交する方向の側端部と、本体部との相互間に、第一空間を形成したので、第一外装パネルが本体部の前面に浮かび上がって見えるような開閉扉体を構成することができ、装飾体（第一外装パネル）の肉厚を大きくすることなく、意匠性や重厚感を向上させることが可能となる。また、第一空間を形成したので、第一空間を形成しない場合と比べて、第一外装パネルの重量を低減して開閉扉体の開閉し易さを向上させることができ、開閉扉体の機能性が低下することを防止することが可能になる。
【００９６】
付記２に記載の開閉扉体によれば、第一外装パネルを、当該第一外装パネルの一部が本体部に当接するように、本体部に対して接続するので、第一外装パネルの本体部に対する接続強度を向上させることができ、開閉扉体全体の強度を向上させることが可能になる。
【００９７】
付記３に記載の開閉扉体によれば、第一外装パネルを、内外方向と直交する方向の中央部において本体部と当接し、かつ、内外方向と直交する方向の側端部において本体部と当接しないように、本体部に対して接続するので、中央部においては第一外装パネルの本体部に対する接続強度を向上させつつ、側端部においては第一外装パネルの重量の増大を抑えることが可能になる。
【００９８】
付記４に記載の開閉扉体によれば、第二外装パネルにおける内外方向と直交する方向の側端部と、採光窓との相互間に、第二空間を形成したので、第二外装パネルが採光窓の前面に浮かび上がって見えるような開閉扉体を構成することができ、装飾体（第二外装パネル）の肉厚を大きくすることなく、意匠性や重厚感を向上させることが可能となる。また、第二空間を形成したので、第二空間を形成しない場合と比べて、第二外装パネルの重量を低減して開閉扉体の開閉し易さを向上させることができ、開閉扉体の機能性が低下することを防止することが可能になる。さらに、第二外装パネルを採光窓に対して並設する場合には、採光窓を複数枚に分割して配置する必要が生じるのに対して、付記４に記載の開閉扉体によれば、第二外装パネルを外部空間に配置したので、採光窓を複数枚に分割して配置する必要がなくなり、開閉扉体の部材点数を削減することが可能になる。
【００９９】
付記５に記載の開閉扉体によれば、第二外装パネルは採光窓に当接することなく本体部に対して接続されるので、内部空間への採光性が低減することを一層確実に防止することが可能になると共に、第二外装パネルが採光窓に当接して採光窓に傷が付くこと等を防止することが可能となる。
【０１００】
付記６に記載の開閉扉体によれば、第一外装パネルと第二外装パネルとの相互間に外部空間から採光窓へと光を通過させるための採光空間を形成したので、開閉扉体の採光性を向上させることが可能となる。さらに、第二外装パネルを採光窓に対して並設する場合には、採光窓に対して並設された第二外装パネルによって外部空間から内部空間への光の入射範囲が狭まるため室内への採光性が低減したりするのに対して、付記４に記載の開閉扉体のように第二外装パネルを外部空間に配置すると共に、付記６に記載の開閉扉体のように採光空間を形成したので、光の入射範囲が狭まることを防止でき、内部空間への採光性が低減することを防止することが可能になる。
【０１０１】
付記７に記載の開閉扉体によれば、第一外装パネルの外装面と第二外装パネルの外装面とを、相互に面一に配置するので、統一感のある開閉扉体を構成することができ、開閉扉体の意匠性を一層向上させることが可能となる。
【０１０２】
付記８に記載の開閉扉体によれば、第一外装パネルの外装面から第一空間に至る距離と、第二外装パネルの外装面から第二空間に至る距離とを、相互に同一としたので、より一層統一感のある開閉扉体を構成することができ、開閉扉体の意匠性をより一層向上させることが可能となる。
【符号の説明】
【０１０３】
１  開閉扉体
２  開口領域
３  躯体
４  外部空間
５  内部空間
６、６ａ〜６ｌ  枠材
１０  枠体
１１  縦枠（戸先側縦枠）
１２  縦枠（戸尻側縦枠）
１３  上枠
１４  下枠
２０  本体部
２１  本体側部（本体左側部）
２２  本体側部（本体右側部）
２３  本体上部
２３ａ、２３ｂ、２４ａ、２４ｂ、２９ｅ、４４ａ、５２ｃ、５４ａ、５６ａ  ネジ
２４  本体下部
２５  扉枠
２６ａ、２６ｂ  化粧鋼板
２７  断熱材
２８  蝶番
２９ａ  把手
２９ｂ  シリンダ錠
２９ｃ  サムターン
２９ｄ  エッジ材
３０  採光窓
３１  開口部
３２  複層ガラス
３３  気密材
４０  第一外装パネル
４１  第一固定材
４１ａ  第一固定後片
４１ｂ  第一固定上片
４１ｃ  第一固定下片
４１ｄ  第一固定右側片
４１ｅ  第一固定左側片
４１ｆ  ブラインドリベット
４２  第一外装材
４２ａ  第一外装前片
４２ｂ  第一外装上片
４２ｃ  第一外装下片
４２ｄ、４２ｅ  第一外装右側片
４２ｆ、４２ｇ  第一外装左側片
４３  コア材
４４  第一エッジキャップ
５０  第二外装パネル
５１  第二固定材
５１ａ  第二固定後片
５１ｂ  第二固定上片
５１ｃ  第二固定下片
５１ｄ  第二固定右側片
５１ｅ  第二固定左側片
５２  第二補強材
５２ａ  接続片
５２ｂ  ネジ受け
５２ｄ  リベット
５３  第二外装材
５３ａ  第二外装前片
５３ｂ、５３ｃ  第二外装右側片
５３ｄ、５３ｅ  第二外装左側片
５４  上キャップ
５５  下キャップ
５６  第二エッジキャップ
Ｅ１  第一空間
Ｅ２  第二空間
Ｅ３  採光空間
【図１】
2015105530.tif 000003
【図２】
2015105530.tif 000004
【図３】
2015105530.tif 000005
【図４】
2015105530.tif 000006
【図５】
2015105530.tif 000007
【図６】
2015105530.tif 000008
【図７】
2015105530.tif 000009
【図８】
2015105530.tif 000010